(57)【要約】  ディスプレイパネル１２に曲げ力１８を加えることによってディスプレイパネル１２上の視覚表示１６を制御するための方法及び装置が提供される。曲げ力１８は検出され、視覚表示１６は、曲げ力１８と視覚表示１６との間の所定の関係に従って変更される。曲げ力１８はディスプレイパネル１２上にトルクを発生する。トルクは検出され、検出されたトルクと視覚表示１６との間の所定の関係に従って視覚表示１６を変更するために用いられる。
2007534055.tif 000002
【特許請求の範囲】
【請求項１】
ディスプレイパネルに曲げ力を加えるステップによって前記ディスプレイパネル上の視覚表示を制御するための方法。
【請求項２】
前記曲げ力を検出するステップと、前記曲げ力と前記視覚表示との間の所定の関係に従って前記視覚表示を変更するステップとをさらに含む、請求項１に記載の方法。
【請求項３】
前記ディスプレイパネルは、前記曲げ力と前記視覚表示との間の前記所定の関係を変更するための制御装置を含み、当該方法は、前記曲げ力と前記視覚表示との間の前記所定の関係を変更するステップをさらに含む、請求項２に記載の方法。
【請求項４】
前記ディスプレイパネルは、前記視覚表示を変更するための入力を受信するための制御装置を含み、前記視覚表示は、前記制御装置に適用される前記入力と前記視覚表示との間の所定の関係に従って変更され、当該方法は、前記ディスプレイパネルに加えられる前記曲げ力に従って、前記制御装置に適用される前記入力と前記視覚表示との間の所定の関係を変更するステップをさらに含む、請求項２に記載の方法。
【請求項５】
前記曲げ力の適用を通じて前記ディスプレイパネル上にトルクを発生するステップと、
前記トルクを検出するステップと、
前記検出されたトルクと前記視覚表示との間の所定の関係に従った前記視覚表示を変更するステップとをさらに含む、
請求項１に記載の方法。
【請求項６】
前記トルクは、ねじりトルク成分を含み、当該方法は、前記ねじりトルク成分を検出するステップと、前記検出されたねじりトルク成分と前記視覚表示との間の所定の関係に従って前記視覚表示を変更するステップとをさらに含む、請求項５に記載の方法。
【請求項７】
前記トルクは、曲げトルク成分を含み、当該方法は、前記曲げトルクを検出するステップと、前記検出された曲げトルク成分と前記視覚表示との間の所定の関係に従って前記視覚表示を変更するステップとをさらに含む、請求項５に記載の方法。
【請求項８】
前記トルクは、平面トルク成分を含み、当該方法は、前記平面トルクを検出するステップと、前記検出された平面トルク成分と前記視覚表示との間の所定の関係に従って前記視覚表示を変更するステップとをさらに含む、請求項５に記載の方法。
【請求項９】
前記ディスプレイパネルは、筐体と、巻き上げられて前記筐体内に収納され得る収納可能なディスプレイスクリーンとを含み、前記筐体は、前記収納可能なディスプレイスクリーンの縁部に沿って延在し且つ取り付けられ、当該方法は、前記曲げ力を前記収納可能なディスプレイスクリーンに加えるステップをさらに含む、請求項１に記載の方法。
【請求項１０】
前記ディスプレイパネルは、収納可能なディスプレイスクリーンに取り付けられたローラを含み、該ローラは、前記収納可能なディスプレイスクリーンが前記筐体内に巻き入れられるときに、前記収納可能なディスプレイスクリーンを収容し、当該方法は、
前記ディスプレイパネルへの前記曲げ力の適用に起因する前記ローラ上の反作用を検出するステップと、
前記検出された前記ローラ上の反作用と前記視覚表示との間の所定の関係に従って前記視覚表示を変更するステップとをさらに含む、
請求項８に記載の方法。
【請求項１１】
前記ディスプレイパネルへの前記曲げ力の適用に起因する前記ローラ上の反作用は、前記ローラ上のトルクである、請求項１０に記載の方法。
【請求項１２】
ディスプレイパネルに曲げ力を加えることによって、前記ディスプレイパネル上の視覚表示を制御する装置であって、当該装置は、
前記ディスプレイパネルと、
前記ディスプレイパネルに加えられる前記力を検出するために前記ディスプレイパネルに動作的に取り付けられた検出器とを含む装置。
【請求項１３】
前記検出器に動作的に接続されたコントローラと、前記検出された曲げ力を前記検出器から受信し、前記検出された曲げ力と前記視覚表示との間の所定の関係に従って前記視覚表示を変更するための前記ディスプレイパネルをさらに含む、請求項１２に記載の装置。
【請求項１４】
前記ディスプレイパネルは、前記曲げ力と前記視覚表示との間の前記所定の関係を変更するための制御装置を含む、請求項１３に記載の装置。
【請求項１５】
前記ディスプレイパネルは、前記視覚表示を変更するための入力を受信するための制御装置を含み、前記視覚表示は、前記制御装置に適用される前記入力と前記視覚表示との間の所定の関係に従って変更され、前記コントローラは、前記ディスプレイパネルに加えられる前記曲げ力に従って、前記制御装置に適用される入力と前記視覚表示との間の前記所定の関係を変更する、請求項１３に記載の装置。
【請求項１６】
前記ディスプレイパネルへ前記曲げ力を加えることは、前記ディスプレイパネル上でトルクを発生し、
前記コントローラは、前記トルクと前記視覚表示との間の所定の関係に従って前記視覚表示を変更する、
請求項１４に記載の装置。
【請求項１７】
前記トルクは、ねじりトルク成分を含み、前記コントローラは、前記ねじりトルク成分と前記視覚表示との間の所定の関係に従って前記視覚表示を変更する、請求項１６に記載の装置。
【請求項１８】
前記トルクは、曲げトルク成分を含み、前記コントローラは、前記曲げトルク成分と前記視覚表示との間の所定の関係に従って前記視覚表示を変更する、請求項１６に記載の装置。
【請求項１９】
前記トルクは、平面トルク成分を含み、前記コントローラは、前記平面トルク成分と前記視覚表示との間の所定の関係に従って前記視覚表示を変更する、請求項１６に記載の装置。
【請求項２０】
前記ディスプレイパネルは、
筐体と、
該筐体内に巻き入れられ且つ収納され得る収納可能なディスプレイスクリーンとを含み、
前記筐体は、前記収納可能なディスプレイスクリーンの縁部に沿って延在し且つ取り付けられる、
請求項１２に記載の装置。
【請求項２１】
前記ディスプレイパネルは、前記収納可能なディスプレイスクリーンが前記筐体内に巻き入れられるとき、前記収納可能なディスプレイスクリーンを収容するために、前記収納可能なディスプレイスクリーンに取り付けられたローラを含み、
前記検出器は、前記ディスプレイパネルへ前記曲げ力を加えることに起因する前記ローラ上の反作用を検出するために、前記ローラに動作的に接続される、
請求項２０に記載の装置。
【請求項２２】
前記ディスプレイパネルへ前記曲げ力を加えることに起因する前記ローラ上の前記曲げ力の前記反作用は、前記ローラ上のトルクである、請求項２２に記載の装置。
【請求項２３】
ディスプレイパネルと、
該ディスプレイパネル上に視覚表示を発生するためのプロセッサと、
前記ディスプレイパネルへ曲げ力を加えることによって、前記ディスプレイパネル上の前記視覚表示を制御するための装置とを含み、
前記視覚表示を制御するための前記装置は、前記ディスプレイパネルと、前記ディスプレイパネルに加えられる前記曲げ力を検出するために、前記ディスプレイパネルに動作的に取り付けられた検出器とを含む、
携帯用電子機器。
【請求項２４】
前記検出された曲げ力を前記検出器から受信し、前記検出された曲げ力と前記視覚表示との間の所定の関係に従って前記視覚表示を変更するために、前記検出器に動作的に接続されたコントローラをさらに含む、請求項２３に記載の携帯用電子機器。
【請求項２５】
前記視覚表示は、移動可能なカーソルを含み、
前記コントローラは、前記検出された曲げ力と前記視覚表示との間の所定の関係に従って前記カーソルを移動することによって前記視覚表示を変更する、
請求項２４に記載の携帯用電子機器。
【請求項２６】
前記視覚表示はスクロール可能であり、
前記コントローラは、前記検出された曲げ力と前記視覚表示との間の所定の関係に従って前記視覚表示をスクローリングすることによって前記視覚表示を変更する、
請求項２４に記載の携帯用電子機器。
【請求項２７】
前記視覚表示は、ページ上昇／下降モードを含み、
前記コントローラは、前記検出された曲げ力と前記視覚表示との間の所定の関係に従ってページ上昇／下降することによって前記視覚表示を変更する、
請求項２４に記載の携帯用電子機器。
【発明の詳細な説明】
【技術分野】
【０００１】
本発明は、視覚表示(visual display)を表示するためのディスプレイパネルを有する携帯用電子装置に関し、より具体的には、ディスプレイパネルへの曲げ力の適用を通じた視覚表示の制御に関する。
【背景技術】
【０００２】
コンピュータ又は携帯情報端末（ＰＤＡ）のような現代的な電子機器は、電子機器によって生成される視覚表示を見るための比較的薄いディスプレイパネルを含む。例えば、一部のコンピュータでは、ディスプレイパネルは、タブレット状の入力／出力装置及びディスプレイとして動作するために、コンピュータから取り外し可能である。一部のコンピュータは、中央処理装置（ＣＰＵ）、及び、図面又はテキストをコンピュータに入力するためにスタイラスを用いて書き込まれ得るタッチスクリーンを含む、タブレット状の形態で製造されさえする。タブレット状のディスプレイパネルは、ディスプレイパネル上に表示される画像を制御し、データを入力し、且つ、視覚表示の一部として設けられるカーソルを移動するために、ボタン、ジョイスティック、サムホイール、及び、タッチパッドのような従来的な制御装置を含むこともある。
【０００３】
これらの電子機器の一部において、ディスプレイパネルは可撓であり、不使用時には、細長いスティック状の筒状筐体内に巻き入れ得る。このアプローチは、Ｆｕｊｉｅｄａ，ｅｔ  ａｌ．の米国特許出願公開第ＵＳ２００２／００７０９１０Ａ１号、Ｚｈａｎｇ，ｅｔ  ａｌ．の国際公開第ＷＯ０１／５０２３２号、及び、Ｊｏｈｎｓｏｎ，  ｅｔ  ａｌ．の国際公開第ＷＯ９８／０３９６２号に開示されている。
【０００４】
薄いタブレット状のディスプレイパネルは、従来利用されなかった方法で、有利且つ直観的に、ディスプレイパネル上に表示される画像を制御し、データを入力し、且つ、視覚画像の一部として提供されるカーソルを移動するための機会を創出する。
【発明の開示】
【発明が解決しようとする課題】
【０００５】
本発明は、ディスプレイパネルに曲げ力を適用することによって、ディスプレイパネル上の視覚表示を制御するための方法及び装置を提供する。
【課題を解決するための手段】
【０００６】
本発明の１つの形態において、曲げ力は検出され、視覚表示は、曲げ力と視覚表示との間の所定の関係に従って変更される。曲げ力は、ディスプレイパネル上にトルクを発生する。トルクは検出され、且つ、検出されたトルクと視覚表示との間の所定の関係に従って視覚表示を変更するために利用される。
【０００７】
ディスプレイパネルは、曲げ力と視覚表示との間の所定の関係を変更するための制御装置も含み得る。逆に、ディスプレイパネルは、視覚表示を変更するための入力を受信するための制御装置を含み、視覚表示は、制御装置に適用される入力と視覚表示との間の所定の関係に従って変更され、ディスプレイパネルに加えられる前記曲げ力に従って、制御装置に適用される入力と視覚表示との間の所定の関係を変更し得る。
【０００８】
ディスプレイパネルは、実質的に剛的な形態を有し得る。代替的に、ディスプレイパネルを、筐体と、筐体内に巻き入れられ且つ収納される収納可能なディスプレイスクリーンとを含む形態で提供し、筐体を収納可能なディスプレイスクリーンの縁部に沿って延在し且つ取り付け得る。
【０００９】
視覚表示は、曲げ力と視覚的表示との間の所定の関係に従って移動可能な可動なカーソルを含み得る。曲げ力と視覚表示との間の所定の関係に従って視覚表示をスクロールし得る。視覚表示はページ上昇／下降モードを含み、ページ上昇／下降モードでは、曲げ力と視覚表示との間の所定の関係に従って視覚表示をページ上昇／下降し得る。
【００１０】
本発明に従って、ディスプレイを制御するために曲げ力を使用することは、より一層直観的な方法であり、且つ、複数ページ印刷書類のページを捲るために用いられるプロセスと類似する制御の達成をもたらす。本発明は、従来の薄いパネルのディスプレイよりも敏感に反応する方法でディスプレイパネル上の視覚表示を制御する方法及び装置を、通勤電車のようなより混雑した環境における、或いは、人が立ちながら或いは歩きながら本発明に従ったディスプレイパネルを利用する間の操作にも提供する。
【００１１】
本発明の前記及び他の特徴及び利点は、添付の図面と共に読まれるときに、例示的な実施態様の以下の詳細な記載からさらに明らかになるであろう。詳細な記載及び図面は、添付の請求項及びその均等物によって定められる本発明の範囲を制限するというよりも、むしろ単に例証するものである。
【発明を実施するための最良の形態】
【００１２】
本発明の例示的な実施態様の以下の記載を通じて、実質的に均等又は類似の構成素子及び特徴は、同一の参照番号によって図面中に特定される。簡潔性の故に、本発明の具体的な素子又は機能が１つの実施態様に関して一旦記載されると、代替的な例示的な実施態様が、先に提示される実施態様の記載の観点において、様々な例示的な実施態様を示す図面の比較から当業者によって容易に理解される場合には、その記載及び機能は、先に記載された構成素子と形態及び／又は機能において均等又は類似の素子に関して反復されない。
【００１３】
図１は、ディスプレイパネル１２と、ディスプレイパネル１２上に視覚表示１６を発生するためのプロセッサ１４と、ディスプレイパネル１２に加えられる矢印１８によって指し示される１つ又はそれよりも多くの曲げ力に応答してディスプレイパネル１２上の視覚表示１６を制御するための装置とを含む、携帯用電子機器１０の形態の本発明の第一の例示的な実施態様を示している。
【００１４】
視覚表示１６を制御するための装置は、例示的な実施態様において、ディスプレイパネル１２と、ディスプレイパネル１２に加えられる曲げ力１８を検出するためにディスプレイパネル１２に動作的に取り付けられる検出器２０と、コントローラ２２とを含む。コントローラ２２は、ディスプレイパネル１２に加えられる曲げ力１８を指し示す検出器２０からの信号を受信し、検出される曲げ力１８と視覚ディスプレイ１２との間の所定の関係に従って視覚表示１６を変更するために、検出器２０及びディスプレイパネル１２に動作的に接続される。
【００１５】
ここで用いられるとき、曲げ力という用語は、ディスプレイパネル１２の知覚可能な曲げ又は変形が実際に起こるか否かに拘わらず、ディスプレイパネル１２内に曲げ又は変形応答を発生する傾向のある、ディスプレイパネル１２に加えられる力を指し示す。本発明の曲げ力は、視覚ディスプレイ１２を支持するディスプレイパネル１２のディスプレイスクリーン２４に加えられ或いは加えられず、ディスプレイパネルの埋込若しくは仮想押しボタン又はスタイラス作動描画機能を活性化するために、過去にタッチディスプレイスクリーンに加えられた種類の力と異なる力を示すことが意図される。例えば、ディスプレイパネル１２のディスプレイスクリーン２４の周縁を形成するフレーム２６に曲げ力１８を加え得る。
【００１６】
ディスプレイパネル１２上でトルクを発生するような方法で、視覚スクリーン１２に１つ又はそれよりも多くの曲げ力１８も加え得る。本発明の一部の実施態様において、検出器２０は、このトルクを検出し、検出されるトルクと視覚表示１６との間の所定の関係に従って視覚表示を変更する。
【００１７】
検出される曲げ力１８又はトルクと視覚表示１６との間の所定の関係は、好ましくは、検出される曲げ力１８又はトルクの存在のみならず、検出される曲げ力１８又はトルクの大きささの関数として視覚表示を変更するための手段を含む。例えば、ディスプレイパネル１２上の曲げ力１８又はトルクが増減するとき、視覚表示の変更の速度及び程度も比例して増減するのが好ましい。
【００１８】
例示的な実施態様の視覚表示１６は、移動可能なカーソル２８を含む。１つの動作モードにおいて、例示的な実施態様のコントローラ２２は、検出される曲げ力１８又は曲げ力１８によって生成されるトルクと視覚表示１６との間の所定の関係に従ってカーソル２８を移動することによって、視覚表示１６を変更する。
【００１９】
例示的な実施態様の他の動作モードにおいて、視覚表示１６はスクロール可能であり、コントローラ２２は、検出される曲げ力１８又は検出されるトルクと視覚表示１６との間の所定の関係に従って視覚表示１６をスクロールすることによって、視覚表示１６を変更する。例示的な実施態様の視覚ディスプレイ１２は、ページ上昇／下降モードも含み、その場合、コントローラは、検出される曲げ力１８又はトルクと視覚表示１６との間の所定の関係に従ってページを上昇／下降することによって、視覚表示１６を変更する。
【００２０】
例示的な実施態様のディスプレイパネル１２は、ディスプレイパネル１２の具体的な動作モードを選択するために、及び／又は、曲げ力１８又はトルクと視覚表示１６との間の所定の関係を変更するために、従来的なタッチパッド２９、及び、ボタン、ホイール、又は、ジョイスティック３０のような、１つ又はそれよりも多くの制御装置を含む。逆に、他の実施態様では、制御装置２９，３０は、制御装置２９，３０に加えられる入力と視覚ディスプレイ１２との間の所定の関係に従って、視覚表示１６を変更するための入力を受信する主要手段として機能し、コントローラ２２は、ディスプレイパネル１２に加えられる曲げ力１８又はトルクに従って、制御手段２９，３０に加えられる入力と視覚表示１６との間の所定の関係を変更し得る。
【００２１】
プロセッサ１４、コントローラ２２、及び、検出器２０は、ディスプレイパネル１２の外側に位置するものとして図１中に概略的に示されているが、これらの素子１４，２２，２０がディスプレイパネル１２の一部であることが概ね有利であることが予期される。しかしながら、例えば、無線リンク、赤外線リンク、又は、アンビリカルケーブルを通じて中央処理装置に結合された取り外し可能なスクリーンを有するコンピュータのような一部の実施態様では、ディスプレイパネル１２から離れて、中央処理装置内に少なくとも部分的に位置するプロセッサ１４、コントローラ２２、及び、検出器２０を有することが望ましくあり得る。
【００２２】
図２は、携帯用電子機器１０の第二の例示的な実施態様を示しており、第二実施態様のディスプレイパネル１２が収納可能なディスプレイスクリーン３２を含む点を除き、それは第一の例示的な実施態様と概ね同一である。収納可能なディスプレイスクリーンは、収納可能なディスプレイスクリーン３２の（描写されるような）左側縁部に沿って延在し且つ取り付けられる筐体３４内に巻き入れられ且つ収納され得る。
【００２３】
図３に示されるように、収納可能なディスプレイスクリーン３２は、それが筐体３４内に巻き入れられるときにディスプレイスクリーン２を収容するために、収納可能なディスプレイスクリーン３２に取り付けられる軸又はローラ３６を含み得る。ディスプレイスクリーン３２が筐体３４内に巻き入れられ或いは筐体から繰り出されるときに、ローラ３６は軸３８について回転する。視覚表示がローラ３６を含む場合、検出器２０は、ディスプレイパネル１２への曲げ力１８又はトルクの適用に起因するローラ３６上の反作用を検出するためにローラ３６に動作的に接続されるセンサ４０を含み、コントローラ２２は、検出されるローラ３６上の反作用と視覚表示１６との間の所定の関係に従って視覚表示１６を変更し得る。
【００２４】
図４乃至８は、矩形のディスプレイパネル１２に曲げ力１８を加え得る多くの方法の幾つかの実施例を描写している。これらの実施例において、力１８は、図１及び２に示されるような１つ又はそれよりも多くの直交軸ｘ、ｙ、及び、ｚに沿って、図１及び２に示されるように、矩形のディスプレイパネル１２に加えられる。例証の目的のために、軸は、ｘ及びｙ軸が、ディスプレイスクリーン２４の視覚面によって定められる平面内に位置した状態に向けられ、ｚ軸は、ｘ及びｙ軸の交差点で、ディスプレイスクリーン２４の視覚面によって定められる平面を通じて直交して延びている。図１及び２並びに図４乃至８の実施例において、ｘ軸は、ディスプレイスクリーン２４の右側上方隅部Ａから右側下方隅部Ｂに延びる、ディスプレイスクリーン２４の右側縁部と、ディスプレイスクリーン２４の左側下方隅部Ｃから左側上方隅部Ｄに延びる、ディスプレイスクリーン２４の左側縁部との間に水平に向けられている。ディスプレイパネル１２の右側縁部Ａ−Ｂを右手で把持し、且つ、ディスプレイスクリーン２４の左側縁部Ｃ−Ｄを左手で把持する人は、概ねｚ軸に沿って視覚表示１６を見ているであろう。しかしながら、ディスプレイパネル１２は、本発明に従って、隅部を備え或いは備えない非矩形の形状を有し得るし、説明の目的から図１及び２並びに図４乃至８に描写される座標系以外の座標系を使用し得ることが当業者によって理解されよう。ディスプレイパネル１２の頂縁部及び底縁部に沿って把持されるよう、例えば、図１及び２のディスプレイパネル１２を動作のために９０度回転して向け得る。
【００２５】
曲げ力１８によって引き起こされる図４乃至８に示される変形は、例証の目的から大きく誇張されていることが留意されるべきである。可撓なディスプレイスクリーンを有する本発明の実施態様のために、本発明の範囲内で、ディスプレイパネル１２が図４乃至８に示される程度まで実際に撓み得ることが確かに意図されるが、本発明の多くの実施態様では、曲げ力１８又はトルクの適用によって引き起こされるディスプレイ装置の実際の変形は、無視し得る。
【００２６】
図４は、対角線の反対側の隅部Ａ及びＣで加えられる一対の曲げ力１８によって生成されるねじりトルクに晒されるディスプレイパネル１２を示している。例えば、もしディスプレイパネル１２の右側縁部Ａ−Ｂ及び左側縁部Ｃ−Ｄを右手及び左手でそれぞれ把持する人が、ディスプレイパネル１２の右側が右側上方隅部Ａをｘ軸について下向きに、並びに、右側下方隅部Ｂがｘ軸について上向きに回転する傾向になるディスプレイパネル１２の右側にトルクを加えると同時に、左側下方隅部Ｃがｘ軸について下向きに、並びに、左側上方隅部Ｄがｘ軸について上向きに回転する傾向になるディスプレイパネル１２の左側にトルクを加えるよう手首を回転するならば、この条件が起こり得る。そのようなねじりトルクは、例えば、カーソル２８をディスプレイスクリーン２４を横断して１つの方向に移動しするための直観的動作として有用であり、カーソル２８を反対方向に移動するために反対方向のねじりトルクを用い得る。
【００２７】
図５は、一対の曲げ力１８によって生成される曲げトルクに晒されるディスプレイパネル１２を実線で示しており、双方とも、ディスプレイパネル１２の右側縁部Ａ−Ｂ及び左側縁部Ｃ−Ｄに沿って下向きに加えられている。例えば、もしディスプレイパネル１２の右側縁部Ａ−Ｂ及び左側縁部Ｃ−Ｄを右手及び左手でそれぞれ把持する人が、ｙ軸について反対方向に、右側縁部及び左側縁部の双方が下向きに移動する傾向になるディスプレイパネル１２の右側にトルクを加えるよう手首を回転するならば、この条件は起こり得る。その結果、ディスプレイパネル１２の中央部は、縁部Ａ−Ｂ，Ｃ−Ｄに関して、視覚表示を見ている人に向かって、凸状に上向きに曲げられる傾向を有する。そのような曲げトルクは、例えば、ディスプレイスクリーン２４を横断する視覚表示１６のスクローリング又はページ送り変更を引き起こすための直観的な動作として有用であり、反対方向の曲げトルクは、視覚表示１６のスクローリング又はページ戻し変更を引き起こし得る。そのような曲げトルク主導スクローリング又はページング機能は、製本印刷書物は書類を通じたページ送り又は戻しに含まれるのと全く同じ手及び手首動作を含み、よって、ディスプレイパネル１２を使用する人にとって極めて直観的であることが理解されよう。
【００２８】
図６乃至８は、ｘ及びｙ軸によって定められる平面内に概ね位置する方向においてディスプレイパネル１２に加えられる曲げ力１８を示している。
【００２９】
図６では、ｘ軸と平行に作用する、反対方向に向けられた曲げ力１８が、ディスプレイパネル１２の上方縁部Ａ−Ｄをディスプレイパネル１２の下方縁部Ｂ−Ｃに対して圧縮させる傾向を有する方法で、ディスプレイパネル１２の右側上方隅部Ａ及び左側上方隅部Ｄに加えられている。この適用構成でトルクは生成されないが、検出器２０によって力１８を検出し、視覚表示１６を所望な方法で変更するために用い得る。例えば、ズームイン機能を直観的に開始するために、そのような曲げ力１８の適用を用い、ズームアウト機能を直観的に開始するために、ディスプレイパネル１２の下方隅部Ｂ，Ｃで類似して向けられる曲げ力１８の適用を用い得る。代替的に、ズームアウト機能を直観的に開始するために、曲げ力１８が張力において互いに対向するよう、図６に示されるような曲げ力１８の方向を単純に逆転し得る。
【００３０】
図７では、ｘ軸と平行に作用する反対方向に向けられた力が、ディスプレイパネル１２を平行四辺形のような形状に変形させる傾向を有する平面トルクを発生するよう、ディスプレイパネル１２の左側上方隅部Ｄ及び右側下方隅部Ｂに加えられている。この曲げ力１８の適用によって生成される平面トルクは、ディスプレイパネルをｚ軸について回転することと直観的に類似し、例えば、視覚表示１６をディスプレイスクリーン２４上で回転させるために用い得る。そのような平面トルクは、感覚的にはステアリングホイールに舵取り力を加えることと直観的に類似し、カーソル２８を視覚表示１６を横断して一方又は他方の方向に移動させるために、平面トルクを用い得る。
【００３１】
図８は、図６に示され且つ上述された曲げ力１８の適用の場合のようなｘ軸と平行というよりも、むしろ概ねｘ軸に沿って作用する対向する曲げ力１８を示している。図６に関して上述されたのと同一の機能を直観的に開始するために、或いは、感覚は書物を閉じるのと全く同一であるので、書類を閉じるための直観的指令として、そのような曲げ力１８の適用を用い得る。
【００３２】
本発明の如何なる実施態様の検出器２０も、ディスプレイパネル１２内に埋設された、或いは、上記の図２及び３に示される第二の例示的な実施態様のローラ３６のような、ディスプレイパネル１２の構成素子に取り付けられた、ひずみゲージ、ロードセル、圧電装置、ホール効果センサ等のような任意の適当な種類の力又はトルク感知素子を含み得ることが意図される。好ましくは、これらの力及びトルク感知素子は、検出器と共に、加えられる力又はトルクの存在に加えて、加えられる力又はトルクの大きさを識別し得る。
【００３３】
本発明の一部の形態において、ディスプレイパネル１２への曲げ力１８の適用は、上述されたようなねじれトルク成分、曲げトルク成分、平面トルク成分の１つ又はそれよりも多くを含み、さらに、他のトルク又は曲げ力成分さえも含み得る、ディスプレイパネル１２上の正味トルクの発生を招き得る。本発明の一部の実施態様において、ディスプレイパネル１２は、これらの別個のトルク及び曲げ力成分を識別し、識別された別個の成分の１つ又はそれよりも多くとの間の所定の関係に従って、視覚表示１６を変更することが意図される。所定の関係は、様々な識別された成分の優先順位付けを含み得ること、或いは、ディスプレイパネル１２は、ディスプレイパネル１２を使用する人が、１つ又はそれよりも多くの識別された成分を、視覚表示１６を変更するために使用されるべき入力として選択或いは排除することを可能にすることも意図される。図１及び２に示される電子機器１０の例示的な実施態様において、例えば、そのような選択は、特定の動作モードを選択するために、制御装置２９，３０を用いて行われる。
【００３４】
本発明は特定の例示的な実施態様に関してここで記載されたが、当業者であれば、多くの他の変形及び実施態様が可能であることを認識しよう。例えば、ディスプレイパネル１２の動作、熱、又は、音のような刺激を検出するために、センサ又は制御装置３０を有するディスプレイパネル１２と共に本発明を用い得ることが意図される。収納可能なスクリーン３２の非巻取り部分だけの上に適合するよう視覚表示１６を自動的にフォーマット化することのような機能的モードと共に本発明を利用し得ることも意図される。従って、本発明の範囲は、上述の具体的な例示的な実施態様に限定されない。均等の意味及び範囲内の全ての変化又は変更がここに含まれるべきことが意図される。
【図面の簡単な説明】
【００３５】
【図１】比較的剛的なディスプレイパネルを含む本発明の携帯用電子機器の第一の例示的な実施態様を示す斜視図である。
【図２】ディスプレイスクリーンに取り付けられた筐体内に巻き上げられて格納され得る可撓なディスプレイスクリーンを有するディスプレイパネルを含む本発明に従った携帯用電子機器の第二の例示的な実施態様を示す斜視図である。
【図３】ローラの周りに巻き上げられた可撓なディスプレイスクリーンを示す図２の携帯用電子機器を部分的に示す斜視図である。
【図４】本発明に従ってディスプレイパネルに適用される曲げ力を示す概略図であり、結果として得られる変形は例証の目的から誇張されている。
【図５】本発明に従ってディスプレイパネルに適用される曲げ力を示す概略図であり、結果として得られる変形は例証の目的から誇張されている。
【図６】本発明に従ってディスプレイパネルに適用される曲げ力を示す概略図であり、結果として得られる変形は例証の目的から誇張されている。
【図７】本発明に従ってディスプレイパネルに適用される曲げ力を示す概略図であり、結果として得られる変形は例証の目的から誇張されている。
【図８】本発明に従ってディスプレイパネルに適用される曲げ力を示す概略図であり、結果として得られる変形は例証の目的から誇張されている。
【図１】
2007534055.tif 000003
【図２】
2007534055.tif 000004
【図３】
2007534055.tif 000005
【図４】
2007534055.tif 000006
【図５】
2007534055.tif 000007
【図６】
2007534055.tif 000008
【図７】
2007534055.tif 000009
【図８】
2007534055.tif 000010
【国際調査報告】
2007534055.tif 000011
2007534055.tif 000012